(57)【要約】【課題】本発明は、車載端末のようにユーザ操作が制限される条件下において、ユーザの嗜好に合ったインターネットラジオ局を検索する操作負担を軽減することを目的とする。【解決手段】インターネットラジオ受信装置１は、ユーザの嗜好を抽出するユーザ情報抽出部１７と、抽出されたユーザ情報をもとにインターネットラジオ局の検索サーバに対する検索クエリを自動的に生成するクエリ生成部１８を有し、検索されたインターネットラジオ局のリストを自動的にプリセット登録する機能を関連付けられた自動検索ボタン２を有する。【選択図】図１
2012027295.tif 000002
【特許請求の範囲】
【請求項１】
受信した情報と蓄積されている情報とを照合して適合したインターネットラジオ番組情報を配信する検索サーバとインターネットラジオ番組を配信するインターネットラジオ局とにネットワークを介して接続可能な、車両に搭載される、インターネットラジオ受信装置であって、
ユーザによって過去に再生された楽曲に関するユーザ情報を抽出するユーザ情報抽出部と、前記ユーザ情報抽出部にて抽出された情報を前記ネットワークを介して前記検索サーバへ送信するとともに、前記検索サーバから送信されたインターネットラジオ番組情報を受信するインターネット接続部と、前記ユーザ情報抽出部で抽出されたユーザ情報の前記検索サーバへの送信を開始させる自動検索ボタンと、前記検索サーバから受信したインターネットラジオ番組情報を記憶するプリセットメモリと、前記プリセットメモリに記憶されたインターネットラジオ番組情報に対応するインターネットラジオ局への接続を開始するプリセットボタンとを備えたインターネットラジオ受信装置。  
【請求項２】
前記ユーザ情報抽出部にて抽出された情報に基づいて、検索クエリを生成するクエリ生成部を備え、
前記検索ボタンが押された場合に前記クリエ生成部が前記検索クリエを生成し、生成された検索クエリが前記インターネット接続部および前記ネットワークを介して前記検索サーバへ送信されることを特徴とする請求項１記載のインターネットラジオ受信装置。
【請求項３】
前記クエリ生成部にて生成される検索クエリは、２乗和が１になるよう正規化された、前記楽曲を表す単語の重みベクトルで示されることを特徴とする請求項２記載のインターネットラジオ受信機。
【請求項４】
ユーザによって過去に再生された楽曲に関するユーザ情報を記録した携帯音楽プレーヤが接続される外部入力部を備え、
自装置に前記携帯音楽プレーヤが接続された場合に、前記ユーザ情報抽出部が前記携帯音楽プレーヤから前記ユーザ情報を抽出することを特徴とする請求項１記載のインターネットラジオ受信装置。
【請求項５】
自車両の位置情報を取得して経路探索を行うナビゲーション装置と接続され、
ユーザによって楽曲が再生された場合に、該再生された楽曲に関するユーザ情報と該楽曲が再生されたときの位置情報とを対応づけて記憶する記憶部と、前記楽曲が再生されたときの位置情報に基づいて前記プリセットメモリに記憶するインターネットラジオ番組情報を選択する制御部とを備えたことを特徴とする請求項１記載のインターネットラジオ受信装置。
【発明の詳細な説明】
【技術分野】
【０００１】
本発明はインターネットラジオ受信機における検索技術に関し、特に、たとえば車載端末のような、ユーザ操作が制限された環境においてインターネットラジオ局の検索操作の負担を軽減することができるインターネットラジオ受信機に関するものである。
【背景技術】
【０００２】
従来、インターネットラジオと呼ばれる、インターネット上のサーバから音声データを配信することで、リアルタイム又はオンデマンドに番組を放送する技術がある。
【０００３】
このようなインターネットラジオ受信技術において、車載端末におけるユーザの検索操作負担を軽減するための技術として以下のものが提案されている。
【０００４】
すなわち、ユーザ入力を受付けるための入力手段と、入力手段で入力された情報に基づき、配信局を順々に切替えながら所定の時間だけインターネットラジオ放送を再生することでユーザに対して選局を促すものである（例えば、特許文献１参照）。
【先行技術文献】
【特許文献】
【０００５】
【特許文献１】特開２００５−１９５８３６号公報
【発明の概要】
【発明が解決しようとする課題】
【０００６】
しかしながら、上記従来技術では、インターネット上に存在する多数のインターネットラジオ局の中から、ユーザの嗜好に合ったインターネットラジオ局を発見するためには、インターネットラジオ局の検索操作が必要であり、車載端末のようにユーザ操作が制限される条件下（例えば運転中の操作など）において、ユーザの操作負担が大きいことが課題となっていた。
【０００７】
本発明は、従来の問題を解決するためになされたもので、車載端末のようにユーザ操作が制限される条件下において、ユーザの嗜好に合ったインターネットラジオ局を検索する際のユーザの操作負担を軽減することを目的とする。
【課題を解決するための手段】
【０００８】
本発明のインターネットラジオ受信機は、受信した情報と蓄積されている情報とを照合して適合したインターネットラジオ番組情報を配信する検索サーバとインターネットラジオ番組を配信するインターネットラジオ局とにネットワークを介して接続可能な、車両に搭載される、インターネットラジオ受信装置であって、ユーザによって過去に再生された楽曲に関するユーザ情報を抽出するユーザ情報抽出部と、前記ユーザ情報抽出部にて抽出された情報を前記ネットワークを介して前記検索サーバへ送信するとともに、前記検索サーバから送信されたインターネットラジオ番組情報を受信するインターネット接続部と、前記ユーザ情報抽出部で抽出されたユーザ情報の前記検索サーバへの送信を開始させる自動検索ボタンと、前記検索サーバから受信したインターネットラジオ番組情報を記憶するプリセットメモリと、前記プリセットメモリに記憶されたインターネットラジオ番組情報に対応するインターネットラジオ局への接続を開始するプリセットボタンとを備えた構成を有する。  
【発明の効果】
【０００９】
本発明によれば、ユーザは自動検索ボタンを押すだけの簡単な操作によって、ユーザの嗜好に合ったインターネットラジオ局を検索することができ、ユーザの操作負担を軽減することができる。
【図面の簡単な説明】
【００１０】
【図１】本発明の実施の形態におけるインターネットラジオラジオ受信機を含む検索システムの概略図
【図２】本発明の実施の形態におけるインターネットラジオ受信機のブロック図
【図３】本発明の実施の形態におけるインターネットラジオ受信機に記憶されたユーザ情報の一例を示す図
【図４】本発明の実施の形態におけるインターネットラジオ受信機における検索結果の例を示す図
【発明を実施するための最良の形態】
【００１１】
以下、本発明の実施の形態におけるインターネットラジオ受信機について、図面を参照しながら説明する。図１は、本発明のインターネットラジオ受信機を含むシステム全体の構成を示すブロック図である。
【００１２】
図１において、インターネットラジオ受信装置１は、自動車などの車両に搭載されるものであり、車室内に設置される。また、携帯音楽プレーヤ３は、車内外での利用が可能なものであり、車内ではインターネットラジオ受信装置１に設けられた接続コネクタを介して電気的に接続される。
【００１３】
インターネットラジオ局６、インターネットラジオ局の検索サーバ５は、インターネット網に接続されている。
【００１４】
このシステムでは、インターネットラジオ受信装置１からインターネット上の所定のインターネットラジオ局６の配信サーバーへ接続し、その配信サーバーに置いてある音楽やトーク番組、ニュース番組等を収めた音声デジタル圧縮ファイル（ 例えば、Ｍ Ｐ ３ やＷＭ Ａ ） をインターネットラジオ受信装置１がストリーミング（ ダウンロードしながらの再生） によって聴くことができるものである。
【００１５】
インターネットラジオ番組の配信局（インターネットラジオ局６）は全世界に無数に存在するため、ユーザにとって所望の配信局に直接かつ効率的にアクセスすることは困難である。
【００１６】
このため、複数の配信局を検索しやすいように、例えば、ジャズやポップスといった音楽のジャンル毎に分類してリンクする検索サーバ５（ 複数の配信局の配信サーバーへのリンク先を束ねた一覧を提供する） が存在する。
【００１７】
なお、図１では、図面を簡略化するため１つのインターネットラジオ局の検索サーバ５だけを示し、他を省略しているが、実際には無数のサーバが接続されている。また、本発明のインターネットラジオ受信装置１を含むシステム全体は、よく知られるＴＣＰ／ＩＰに代表される通信プロトコルをサポートする。
【００１８】
インターネットラジオ受信装置１は、図示しないプロバイダサーバなどを通じてインターネット網４に接続される。プロバイダサーバは、ＩＳＰ によって運用され、インターネット接続サービスを利用したいユーザのインターネットラジオ受信装置１に対して、ユーザ認証及びグローバルＩ Ｐ アドレスの付与を行うサーバである。
【００１９】
インターネットラジオ受信装置１は、車載ルータなどのインターネット接続のための通信リンクを確立する処理を代行する装置と接続可能な構成である。
車載ルータと携帯電話とは、無線あるいは有線で接続されており、携帯電話を制御することによってプロバイダサーバと例えば、ＰＰＰ などの通信プロトコルに従って接続の交渉を行い、認証された後、グローバルＩＰアドレスが付与される。さらに、ＮＡＴ 機能によりプライベートＩＰアドレスをインターネットラジオ受信装置１へ割当てる機能を有している。これにより、インターネットラジオ受信装置１はインターネットへの接続が可能となる。
【００２０】
なお、車載ルータには携帯電話が接続されるとしたが、これに限らず、無線ＬＡＮやＤＳＲＣ （Ｄｅｄｉｃａｔｅｄ Ｓｈｏｒｔ Ｒａｎｇｅ Ｃｏｍｍｕｎｉｃａｔｉｏｎ ；狭帯域無線通信） の通信方式で接続可能な通信機器を接続しても良いし、あるいはそれらの組合せで何台かを接続しても良い。また、周知の無線通信技術を利用するインターネット接続サービスの形態であっても良い。
【００２１】
さらに、車載ルータおよび携帯電話の両方はインターネットラジオ受信装置１の内部にあっても良い。また、車載ルータは必ずしも必要とは限らない。携帯電話とインターネットラジオ受信装置１が直接接続されており、上記説明した車載ルータの動作をインターネットラジオ受信装置１が行えるのであれば、無くても良い。
【００２２】
図２に、本実施の形態におけるインターネットラジオ受信機の構成図を示す。
上述したように、本実施の形態のインターネットラジオ受信装置１は、図２に示すとおりインターネット網４を介してインターネットラジオの検索サーバ５、インターネットラジオ局６に接続される。
【００２３】
インターネットラジオ局６は、インターネット接続のための通信リンクを確立する処理を行なうインターネット接続部６１と、音楽やトーク番組あるいはニュース番組等を収めた音声デジタル圧縮ファイル（ 例えば、Ｍ Ｐ ３ やＷＭ Ａ ）が保存される配信データサーバ６２を含む。
【００２４】
インターネットラジオ局の検索サーバ５は、インターネット接続のための通信リンクを確立する処理を行なうインターネット接続部５１と、インターネット網４を介して入力された検索クエリ（詳細後述）に適合したインターネットラジオ局のリストを出力する検索部５２と、インターネットラジオ局のＵＲＬと音声ファイルのジャンルなどが対応付けられたインターネットラジオ番組情報が記憶されている、インターネットラジオ局データベース５３とを含む。
【００２５】
インターネットラジオ受信装置１は、入力部１１、表示部１２、音声再生部１３インターネット接続部１４、音声再生部１４、外部入力部１５、制御部１６を備えている。
入力部１１は、前述の自動検索ボタン２を含んで構成され、その他、電源ボタン、プリセットボタン、モード切替ボタンなど、インターネットラジオ受信装置１の操作を行うためのボタンが入力部１１に含まれる。
【００２６】
入力部１１には、キーボードのように直接的に文字を入力するも、プルダウンメニューやカテゴリ一覧のようにあらかじめ用意された検索語の中から選択するものなどが用いられる。本実施の形態においては、自動検索ボタン２およびプリセットボタンは、押下式のプッシュボタンを用いることとしている。
【００２７】
表示部１２は、ＬＣＤなどの表示部品からなり、主に検索サーバ５から出力されたインターネットラジオ局のリストを表示するために設けられているために設けられている。た
だし、表示部１２は、その他、音量、音質、フェダー、バランスなどが表示されるものであって良い。
【００２８】
音声再生部１３にはスピーカが用いられ、インターネットラジオ局６から配信された音楽データなどの音声データを音として出力するものである。
インターネット接続部１４は、上述した、インターネット接続のための通信リンクを確立する処理を代行するものであり、本実施の形態において、インターネット接続部１４は、インターネットラジオ受信装置１に内蔵されている。
【００２９】
外部入力部１５は、上述した携帯音楽プレーヤ３などを接続するためのものであり、コネクタやインターフェース回路を含む。
【００３０】
さらに、外部入力部１５は、ＧＰＳ（Ｇｌｏｂａｌ  Ｐｏｓｉｔｉｏｎｉｎｇ  Ｓｙｓｔｅｍ）機能を利用して経路探索機能を実現するナビゲーション装置などと接続される接続部分も含み、外部入力部１５に接続されたナビゲーション装置から自車量の現在の位置情報（緯度および経度の情報）を取得することが可能である。
【００３１】
制御部１６は、インターネットラジオ受信装置１を統括的に制御するためのもので、演算処理機能を有するＣＰＵや各種データやプログラムを記憶するＲＯＭさらには、ＲＡＭを備えている。
【００３２】
ここで、制御部１６のＲＡＭは詳細を後述するとおりの、検索サーバ５から受信したインターネットラジオ番組情報を一時的に記憶するプリセットメモリや、楽曲情報や位置情報などのユーザ情報を記憶する記憶部を含む。
【００３３】
制御部１６はさらに、ユーザの嗜好を抽出するユーザ情報抽出部１７と、インターネットラジオ局の検索サーバ５に対する検索クエリを生成するクエリ生成部１８を有する。
ユーザ情報抽出部１７、クエリ生成部１８は、インターネットラジオ受信装置１における制御部１６のプログラムとして実現される。
【００３４】
ユーザ情報抽出部１７は、インターネットラジオ受信装置１に接続される携帯音楽プレーヤ３などの機器に記録されたユーザ情報を外部入力部１５を介して読み取るためのものであり、このユーザ情報は、音楽に関するユーザの嗜好を示す情報であって、過去に再生した楽曲情報（タイトルやアーティスト名など）および過去の再生履歴（再生回数）、さらには再生した場所（緯度および経度など）日付や時刻などが含まれ、それぞれが互いに対応付けられて記録されているものである。
【００３５】
クエリ生成部１８では、ユーザ情報抽出部１７にて抽出された情報に基づいて、以下のようにインターネットラジオ局の検索サーバ５に対する検索クエリを生成する。
【００３６】
生成される検索クエリは、検索サーバ５の検索部５２が求めるフォーマットで表現する必要があるが、例えば、検索サーバ５のインターネットラジオ局データベース５３におけるインターネットラジオ局のデータが、楽曲名やアーティスト名など、楽曲を表す単語の重みベクトルＲ＝（．．．，Ｂｅａｔｌｅｓ０．２，Ｌｅｔ Ｉｔ Ｂｅ０．０２，...）などと示され（ただし、Ｒは２乗和が１になるように正規化されたものとする）、インターネットラジオ局数ｎで単語数ｍのラジオ局データベースは、ｎ行ｍ列の行列として表現される場合、生成される検索クエリは、単語の重みベクトルＱ＝（Ｂｅａｔｌｅｓ０．２，Ｌｅｔ Ｉｔ Ｂｅ０．２，...）なるＱ（ただし、Ｑは２乗和が１になるように正規化されたものとする）で示される、Ｒと同様の単語の重みベクトルで表現される。
【００３７】
検索クエリは、インターネットラジオ受信装置１のインターネット接続部１４にて処理され、インターネット網４を介して検索サーバ５に送信され、インターネット接続部５１により処理されて、検索サーバ５の検索部５２に入力される。
【００３８】
検索サーバ５２は、検索アルゴリズムに従い、インターネットラジオ局データベース５３の中で検索クエリに適合したインターネットラジオ局のリストを出力する。
【００３９】
検索部５２から出力されるインターネットラジオ局のリストの情報は、検索クエリとの適合度の高いものから順に順位付けされている。
【００４０】
検索部５２で出力されたインターネットラジオ局のリスト（インターネットラジオ番組情報）は、検索サーバ５のインターネット接続部５１にて処理され、インターネット網４を介してインターネットラジオ受信装置１へ送信され、インターネットラジオ受信装置１のインターネット接続部１４に受信されて処理され、インターネットラジオ受信装置１の表示部１２に表示される。
【００４１】
以上のように構成されたインターネットラジオ受信装置１について、以下にその動作を説明する。
【００４２】
まず、本実施の形態におけるインターネットラジオ受信装置１を含むシステム（インターネット網４、インターネットラジオ局６、検索サーバ５を含むシステム）の動作について、その概要を説明する。
【００４３】
インターネットラジオ受信装置１は、ユーザの好みや要望に応じた再生履歴情報（ユーザ情報）が記録された携帯音楽プレーヤが接続されるとともに、車両の経路案内を行うナビゲーション装置にも接続される。携帯音楽プレーヤやナビゲーション装置は、外部入力部１５を介してインターネットラジオ受信装置１に接続可能である。
【００４４】
インターネットラジオ受信装置１は、接続された携帯音楽プレーヤとデータ通信を行って、携帯音楽プレーヤに蓄積されている音楽データから、それぞれのタイトル、アーティスト名、再生回数の履歴などの楽曲情報を含むユーザ情報を取得し、取得した楽曲情報を制御部１６のメモリに記憶する。
【００４５】
また、接続した携帯音楽プレーヤに蓄積された音楽データがインターネットラジオ受信装置１を経由して（制御部１６の制御処理に対応して）再生されたとき、このときの年月日を示す情報（時刻情報）や車両の位置に関する緯度や経度などの情報（位置情報）を再生している音楽の楽曲情報と対応させて制御部１６のメモリに記憶する。
【００４６】
また、後述するインターネットラジオ検索処理の結果に基づいてユーザが受聴した楽曲のデータも、再生履歴として制御部１６のメモリに記憶される。
【００４７】
ここで、本実施の形態においては、ユーザがインターネットラジオから配信された楽曲を受聴した場合も楽曲が「再生」されたと表記する。
【００４８】
なお、楽曲情報や現在地情報、時刻情報などは、必ずしもインターネットラジオ受信装置１に接続される外部機器から入手されることに限らず、インターネットラジオ受信機装置１の内部に設けられたＤＶＤプレーヤやＧＰＳ受信器、ナビゲーションユニットから楽曲情報や時刻情報などを取得するように構成されていても良い。
【００４９】
このように、ユーザ情報抽出部１７に楽曲情報、位置情報、時刻情報が蓄積されている
状態において、ユーザが自動検索ボタン２を押す（入力部１１への入力）と、インターネットラジオ検索処理が開始される。
【００５０】
ユーザが自動検索ボタン２を押下すると、ユーザ情報抽出部１７では、インターネット受信機１で利用できる情報から、ユーザの嗜好に関係する情報を抽出する。
【００５１】
ここで、インターネット受信機１で利用できる情報とは、例えば、インターネット受信機１がＣＤ再生機能や携帯音楽プレーヤ接続機能を有している場合、再生した楽曲の再生履歴を利用できるし、ＧＰＳ機能を有している場合、現在地の緯度・経度を利用できる。また、インターネットラジオ受信装置１が車載端末の場合、助手席のシートベルトが締められているかどうかの信号を処理できるよう構成し、この信号を検出することにより、同乗者の有無についても検出できることができる。
【００５２】
したがって、ユーザが自動検索ボタン２を押すと、図３に示されるユーザ情報を抽出することができる。この情報は、ユーザの嗜好に関係する情報として扱われる。ユーザ情報抽出部１７によって抽出された、ユーザの嗜好に関係する情報が、クエリ生成部１８に送られ、検索サーバ５の求めるフォーマットで表現された検索クエリが生成される。
【００５３】
クエリ生成部１８で生成された検索クエリは、インターネット接続部１４にて処理されて、インターネット網４を介して検索サーバ５のインターネット接続部５１に送信され、インターネット接続部５１にて処理されて検索部５２に送られる。
【００５４】
ただし、ユーザ情報の抽出処理および検索クエリの生成処理は、自動検索ボタン２が操作される（押される）前に行われるようにしても良い。
検索クエリが検索サーバ５のインターネット接続部５１に送信されると、検索サーバ５ではインターネットラジオ局のデータベース５３の中のそれぞれのインターネットラジオ局と適合度の計算が行われる。
【００５５】
検索サーバ５にて行われる適合度の計算方法としては、さまざまなものが考えられるが、クエリを単語の重みベクトルとして表現し、インターネットラジオ番組情報も単語の重みベクトルとして表現されている場合、例えばそれらのベクトルの内積を計算することで、適合度を計算することができる。この場合内積の値が大きいほど、適合度が高いことになる。
【００５６】
検索サーバ５の検索部５２による検索の結果は、適合度によって順位付けされたインターネットラジオ局のリストである（例えば図７参照）。
【００５７】
図７に示されるような、この検索結果は、インターネット接続部５１にて処理されて、インターネット網４を介してインターネットラジオ受信装置１のインターネット接続部１４にて処理され、再びインターネットラジオ受信装置１に送られる。
【００５８】
送られたデータは、自動的にプリセット登録される。一度プリセット登録されてしまえば、ユーザは、プリセット登録されたインターネットラジオ局を視聴することができる。すなわち、検索サーバから受信したインターネットラジオ番組情報は、制御部１６が備えるＲＡＭ（プリセットメモリ）に記憶される。
【００５９】
そして、入力部１１に含まれるプリセットボタンを操作することで簡単にプリセットメモリに記憶された情報に対応するインターネットラジオ放送局に接続され、ユーザがその番組を再生し受聴することができる。
【００６０】
ここで、プリセットボタンは、元来、ユーザが所望の操作（本実施例においては、ユーザの嗜好に合ったインターネットラジオ局の呼び出し）を簡単に行うために設けられているものであるため、おのずとユーザにとって操作性がよいものであるが、特に、本実施の形態においては、ユーザの好みの楽曲を膨大な数のインターネットラジオ局から検索するための自動検索ボタン２もプッシュ式の押下ボタンを利用することができるため、ユーザの嗜好に合ったインターネットラジオ放送局の検索と呼び出しが簡単なボタン操作によって実現される。
【００６１】
なお、以上の説明において、説明を簡単にするため、検索クエリ、インターネットラジオ局を単語の重みベクトルで表現し、それらの内積により適合度を計算する手法で説明を行ったが、例えば、ＧＰＳによる緯度・経度情報を活用することで、その地域の言語で放送されているインターネットラジオ局を自動的にフィルタリングするなどの付加価値を提供することができる。
【００６２】
以上説明したとおり、本発明の実施の形態におけるインターネットラジオ受信装置１は、端末の持つ他の情報を活用し、自動的に検索クエリを作成することでユーザの操作負担を軽減している。
【００６３】
以上のように本実施の形態によれば、ユーザの嗜好を抽出するユーザ情報抽出部１７と、入力部１１とユーザ情報抽出部１７とからインターネットラジオ局の検索サーバに対する検索クエリを自動的にクエリを生成するクエリ生成部１８を備えることにより、自動的にユーザの嗜好に合ったクエリを生成することができるため、クエリ入力におけるユーザの操作負担を軽減することができる。
【００６４】
さらに、検索されたインターネットラジオ局のリストを自動的にプリセット登録する機能を関連付けられた自動検索ボタンを備えることにより、従来のＦＭやＡＭラジオを視聴する感覚で、プリセット登録されたインターネットラジオ局を視聴することができるため、ユーザの操作負担を軽減することができる。
【産業上の利用可能性】
【００６５】
本発明のインターネットラジオ受信機は、車両を運転中のユーザが、視聴可能な多数のインターネットラジオ局の中から、ユーザの嗜好に合ったプリセットメモリをワンタッチで作成する技術として有用である。
【符号の説明】
【００６６】
１  インターネットラジオ受信機
２  自動検索ボタン
３  携帯音楽プレーヤ
４  インターネット網
５  インターネットラジオ局の検索サーバ
６  インターネットラジオ局
７  クエリ
８  検索結果
１１  入力部（インターネットラジオ受信機）
１２  表示部（インターネットラジオ受信機）
１３  インターネット接続部（インターネットラジオ受信機）
１４  音声再生部（インターネットラジオ受信機）
１５  ユーザ情報抽出部（インターネットラジオ受信機）
１６  クエリ生成部（インターネットラジオ受信機）
５１  インターネット接続部（インターネットラジオ局の検索サーバ）
５２  検索部（インターネットラジオ局の検索サーバ）
５３  インターネットラジオ局データベース（インターネットラジオ局の検索サーバ）
６１  インターネット接続部（インターネットラジオ局）
６２  配信データ（インターネットラジオ局）
【図１】
2012027295.tif 000003
【図２】
2012027295.tif 000004
【図３】
2012027295.tif 000005
【図４】
2012027295.tif 000006